(57)【要約】【課題】  常時レールにかかっている輪重や横圧を測定できる輪重・横圧測定装置を提供する。【解決手段】  レールに生じたひずみを電気信号に変換するひずみ検出部３、ひずみ検出部３からの電気信号に基づいて少なくともひずみに関するデータを演算し、演算したデータに対応する信号を作成するデータ演算部５、データ演算部５で作成した信号を、無線アンテナ９を介して無線通信により送信する無線通信部７、電池または自家発電手段からなる電源１１を有し、少なくともひずみ検出部３、データ演算部５及び無線通信部１１が半導体プロセスにより形成された半導体ひずみセンサ１を備えた構成とする。レールに取り付ける半導体ひずみセンサ１を小型化でき、また、半導体ひずみセンサ１が無線で信号つまりデータを送信できるため、半導体ひずみセンサ１が車両などの走行に影響せず、さらに、半導体ひずみセンサ毎にワイヤーで接続された受信側の機器を設置する必要などがない。このため、常時半導体ひずみセンサ１を取り付けた状態にでき、常時レールにかかっている輪重や横圧を測定できる。【選択図】        図１
2005156298.tif 000002
【特許請求の範囲】
【請求項１】
レールに生じたひずみを電気信号に変換するひずみ検出部と、該ひずみ検出部からの電気信号に基づいて少なくともひずみに関するデータを演算し、該演算したデータに対応する信号を作成するデータ演算部と、該データ演算部で作成した信号を、無線アンテナを介して無線通信により送信する無線通信部と、電池または自家発電手段からなる電源とを有するひずみセンサを備えた輪重・横圧測定装置。
【請求項２】
前記ひずみセンサは、少なくとも前記ひずみ検出部、前記データ演算部及び前記無線通信部が半導体プロセスにより形成された半導体ひずみセンサであることを特徴とする請求項１に記載の輪重・横圧測定装置。
【請求項３】
前記データ演算部は、前記ひずみ検出部からの電気信号に基づいてひずみに関するデータを演算し、該演算したひずみに関するデータに対応する信号を作成し、前記無線通信部は、前記無線アンテナを介してひずみに関するデータに対応する信号を送信してなることを特徴とする請求項１または２に記載の輪重・横圧測定装置。
【請求項４】
前記データ演算部は、前記ひずみ検出部からの電気信号に基づいてひずみに関するデータを演算し、さらに、該演算したひずみに関するデータに基づいて輪重及び横圧の少なくとも一方に関するデータを演算し、該演算した輪重及び横圧の少なくとも一方に関するデータに対応する信号を作成し、前記無線通信部は、前記無線アンテナを介して輪重及び横圧の少なくとも一方に関するデータに対応する信号を送信してなることを特徴とする請求項１または２に記載の輪重・横圧測定装置。
【請求項５】
前記ひずみセンサは、少なくとも前記ひずみ検出部、前記データ演算部、及び前記無線通信部が第１の樹脂層で覆われて一体に形成されていることを特徴とする請求項１乃至４のいずれか１項に記載の輪重・横圧測定装置。
【請求項６】
前記ひずみ検出部を除き、少なくとも前記データ演算部及び前記無線通信部は、前記第１の樹脂層よりもヤング率が低い第２の樹脂層で覆われ、該第２の樹脂層の上から前記第１の樹脂層で覆われていることを特徴とする請求項５に記載の輪重・横圧測定装置。
【請求項７】
前記ひずみセンサは、前記無線アンテナとしてアンテナコイルを備え、自家発電手段は、前記アンテナコイルを含み、磁力線の変化による電磁誘導により前記アンテナコイルで生じた起電力から電力を得ることを特徴とする請求項１乃至６のいずれか１項に記載の輪重・横圧測定装置。
【請求項８】
前記ひずみ検出部の温度を検出する温度検出部と、温度に対する前記ひずみセンサで検出したひずみ量の関係のデータを格納した記憶手段とを有し、前記データ演算部は、前記温度検出部で検出した温度と前記記憶手段に格納した温度に対するひずみ量の関係のデータに基づいてひずみに関するデータを補正してなることを特徴とする請求項１乃至７のいずれか１項に記載の輪重・横圧測定装置。
【請求項９】
前記温度検出部は、ｐ−ｎ接合ダイオードにより形成されたことを特徴とする請求項８に記載の輪重・横圧測定装置。
【請求項１０】
前記ひずみセンサを取り付けたレールを走行する車両に設けられ、前記ひずみセンサからの信号を受信する受信側データ処理装置を備え、該受信側データ処理装置は、前記ひずみセンサから無線送信された信号を受信する受信側の無線通信部と、該受信側の無線通信部で受信した信号に基づいて該受信側データ処理装置を設けた車両の動作を制御するための制御信号を作成する演算処理部とを有し、該演算処理部で作成した制御信号を、前記受信側データ処理装置を設けた車両の動作を制御する機器に出力してなることを特徴とする請求項１乃至９のいずれか１項に記載の輪重・横圧測定装置。
【請求項１１】
基地局として設置され、前記ひずみセンサからの信号を受信する受信側データ処理装置を備え、該受信側データ処理装置は、前記ひずみセンサから無線送信された信号を受信する受信側の無線通信部と、該受信側の無線通信部で受信した前記ひずみセンサからの信号に基づいて必要なデータを演算する演算処理部とを有し、前記ひずみセンサの無線通信部は、他のひずみセンサの無線通信部を中継して無線通信を行うマルチホップ通信によりアドホックネットワークを形成してなることを特徴とする請求項１乃至９のいずれか１項に記載の輪重・横圧測定装置。
【請求項１２】
前記受信側データ処理装置は、前記ひずみセンサからのひずみに関するデータに対応する信号を受信し、該受信した信号に基づいて輪重及び横圧の少なくとも一方に関するデータを演算してなることを特徴とする請求項９または１１に記載の輪重・横圧測定装置。
【請求項１３】
前記ひずみセンサは、前記データ演算部で演算しデータの値が予め設定した値以上のときにのみ前記受信側データ処理装置に対して信号を送信してなることを特徴とする請求項１乃至１２のいずれか１項に記載の輪重・横圧測定装置。
【請求項１４】
前記ひずみセンサは、前記データ演算部で演算したデータに対応する信号を送信するとき、前記ひずみセンサ固有の識別情報に対応する信号も送信してなることを特徴とする請求項１乃至１３のいずれか１項に記載の輪重・横圧測定装置。
【請求項１５】
前記ひずみセンサは、車両が軌道を走行していないときに零点を補正してなることを特徴とする請求項１乃至１４のいずれか１項に記載の輪重・横圧測定装置。
【発明の詳細な説明】
【技術分野】
【０００１】
本発明は、車両などの走行によりレールにかかった輪重や横圧を測定する輪重・横圧測定装置に関する。
【背景技術】
【０００２】
鉄道車両などが走行することによりレールにかかった輪重や横圧の測定をレール側で行う輪重・横圧測定装置として、ひずみゲージを用いた装置やロードセルを用いた装置などが用いられている。ひずみゲージを用いた装置では、レールに直接ひずみゲージからなるひずみ検出部を貼り付け、車輪がレールに生じさせるせん断ひずみによりひずみ検出部で生じた電気信号を、ケーブルを介して軌道脇などに設置されたコンピュータなどに送り、このコンピュータでひずみ検出部で生じた電気信号を輪重値に変換している。一方、ロードセルを用いた輪重・横圧測定装置では、レールの横にロードセルを配置して、ロードセル上を車輪が通ったときに検出した輪重に応じた信号を、ケーブルを介して軌道脇などに設置されたコンピュータなどに送り、このコンピュータで輪重値を演算することで直接輪重置を測定している（例えば、特許文献１参照）。
【０００３】
また、車体側でレールにかかった輪重や横圧の測定を行う輪重・横圧測定装置としては、車両の車軸や車輪にひずみゲージからなるひずみ検出部を直接貼り付け、車軸や車輪に生じるひずみを検出することによって間接的にレールにかかった輪重値などを求めている（例えば、特許文献２参照）。特許文献２では、長時間に渡って車輪に生じるひずみ量の検出を行う際に、スリップリングを用いると、このスリップリングの機械的な摩擦により測定能力が低下してしまうという問題を排除するため、車輪に横圧センサや輪重センサを取り付け、これらのセンサの出力信号をテレメータで送信することが提案されている。
【０００４】
【特許文献１】特開平１１−８３６０５号公報（第６−７頁、第１図）
【特許文献２】特開平１０−１７２０８８号公報（第３−４頁、第１図、第２図）
【発明の開示】
【発明が解決しようとする課題】
【０００５】
ところで、車両の車軸や車輪にひずみ検出部を直接貼り付けた輪重・横圧測定装置では、例えば時速６０ｋｍ前後の速度で走行を行う車両の車輪にひずみ検出部が配置されている場合、周期５〜７Ｈｚ程度の繰り返し変形がひずみ検出部に加わる上、車軸とひずみ検出部の取り付け位置との距離、ひずみ検出部の質量、さらに、車輪回転角速度の二乗に比例した遠心力などがひずみ検出部に加わる。このため、ひずみ検出部は、準静的な環境で使われる場合に比べて大きなダメージを蓄積する。したがって、高速回転体である車輪や車軸にひずみ検出部を配置する輪重・横圧測定装置は、長時間の使用には適しておらず、常時レールにかかっている輪重や横圧を測定することは難しい。
【０００６】
一方、軌道を形成しているレールにひずみ検出部やロードセルを取り付ける輪重・横圧測定装置では、車輪や車軸にひずみ検出部を取り付けた場合に発生する問題は解消される。しかし、軌道を形成しているレールにひずみ検出部やロードセルを取り付ける輪重・横圧測定装置では、車両運行中にレールにかかっている動的輪重や横圧値を得るためには、数十〜数百ｋｍに及ぶ長さのレールに沿って複数のひずみ検出部やロードセルを設置する必要がある。このとき、レールに沿って複数のひずみ検出部やロードセルを設置するのに伴い、ひずみ検出部やロードセルからの電気信号をコンピュータで読み込める状態にするためのＡ／Ｄ変換器や増幅器などが必要な場合には、それらの機器を設置したひずみ検出部やロードセル毎に設置することになる上、ひずみ検出部やロードセルからの電気信号に基づいて輪重や横圧を演算処理するためのコンピュータもひずみ検出部やロードセル毎に設けることになる。
【０００７】
このため、レールにひずみ検出部やロードセルを取り付ける輪重・横圧測定装置では、一つ一つがいずれも数ｃｍから数ｍ程度の大きさを有する要素で構成された大型の装置を軌道近傍に複数設置しなければならなくなる上、装置を構成する要素同士がケーブルなどによって連結されていることから、装置の設置に要する空間は、軌道近傍に装置を設置するための空間を確保することが難しい程大きなものとなってしまう場合が生じる。加えて、このような大型の装置を軌道近傍に設置した場合、車両通行の妨げとなることも懸念される。このように、レールにひずみ検出部やロードセルを取り付ける輪重・横圧測定装置でも、常時レールに設置した状態にすることは難しく、試験軌道などでの輪重や横圧の測定、または、実際に運行されている路線の限られた箇所での一時的な測定などに用いられているだけである。したがって、常時レールに設置しておくことができ、常時レールにかかっている輪重や横圧を測定できる輪重・横圧測定装置が望まれている。
【０００８】
本発明の課題は、常時レールにかかっている輪重や横圧を測定できる輪重・横圧測定装置を提供することにある。
【課題を解決するための手段】
【０００９】
本発明の輪重・横圧測定装置は、軌道を形成するレールに生じたひずみを電気信号に変換するひずみ検出部と、このひずみ検出部からの電気信号に基づいて少なくともひずみに関するデータを演算し、この演算したデータに対応する信号を作成するデータ演算部と、このデータ演算部で作成した信号を、無線アンテナを介して無線通信により送信する無線通信部と、電池または自家発電手段からなる電源とを有するひずみセンサを備えた構成とすることにより上記課題を解決する。
【００１０】
このような構成とすれば、ひずみセンサは、無線通信部を有しており、演算したデータに対応する信号を、レールにかかった輪重及び横圧の少なくとも一方を演算するための信号として無線通信により送信する。このため、ひずみセンサで得たデータを処理するコンピュータなどの機器を、ワイヤーなどを介してひずみセンサ毎に接続する必要がなくなる上、このようなコンピュータなどの機器を軌道近傍に設置する必要もなくなる。このように、輪重・横圧測定装置を構成する要素のうち、ひずみセンサのみをレールに取り付けるだけで済むため、輪重・横圧測定装置の設置のために空間を確保する必要はなくなり、輪重・横圧測定装置を常時レールに設置した状態にでき、常時レールにかかっている輪重や横圧を測定できる。
【００１１】
さらに、ひずみセンサは、少なくともひずみ検出部、データ演算部及び無線通信部が半導体プロセスにより形成された半導体ひずみセンサである構成とする。このような構成とすれば、ひずみ検出部、データ演算部及び無線通信部が半導体プロセスにより形成されているため、ひずみセンサは、直接軌道を形成するレールに取り付けても車両の走行の支障にならない大きさに小型化できる。
【００１２】
また、データ演算部は、ひずみ検出部からの電気信号に基づいてひずみに関するデータを演算し、この演算したひずみに関するデータに対応する信号を作成し、無線通信部は、無線アンテナ介してひずみに関するデータに対応する信号を送信する構成とする。これにより、データ演算部がひずみに関するデータの演算や、この演算したひずみに関するデータに対応する信号の作成を行うだけで済むため、ひずみセンサでの電力消費量を低減できる。
【００１３】
また、データ演算部は、ひずみ検出部からの電気信号に基づいてひずみに関するデータを演算し、さらに、この演算したひずみに関するデータに基づいて輪重及び横圧の少なくとも一方に関するデータを演算し、この演算した輪重及び横圧の少なくとも一方に関するデータに対応する信号を作成し、無線通信部は、無線アンテナ介して輪重及び横圧の少なくとも一方に関するデータに対応する信号を送信する構成とする。これにより、ひずみセンサからのデータを受信する機器側で輪重や横圧などを演算する必要がなくなるため、ひずみセンサからのデータを受信する機器側でのデータ処理が軽減され、ひずみセンサからのデータを受信する機器側で受信できるひずみセンサの数やデータの数などを増やすことができる。
【００１４】
さらに、ひずみセンサは、少なくともひずみ検出部、データ演算部、及び無線通信部が第１の樹脂層で覆われて一体に形成されている構成とする。このような構成とすれば、第１の樹脂層で覆うことにより、ひずみセンサを構成する要素が雨や雪、紫外線、埃、車両の走行などにより飛んでくる鉄粉や錆粉、石などにより破損するのを防ぎ、使用寿命を長くできる。
【００１５】
このとき、ひずみ検出部を除き、少なくともデータ演算部及び無線通信部は、第１の樹脂層よりもヤング率が低い第２の樹脂層で覆われ、この第２の樹脂層の上から第１の樹脂層で覆われている構成とする。これにより、第１の樹脂層よりもヤング率が低い第２の樹脂層が、第１の樹脂層を介してレールに生じたひずみがひずみ検出部以外の例えば半導体プロセスにより形成されたデータ演算部や無線通信部などに伝わり、データ演算部や無線通信部などの要素の動作に影響するのを抑制し、測定精度の低下を抑制できる。
【００１６】
また、ひずみセンサは、無線アンテナとしてアンテナコイルを備え、自家発電手段は、アンテナコイルを含み、磁力線の変化による電磁誘導によりアンテナコイルで生じた起電力から電力を得る構成とする。このような構成とすれば、電源が電池である場合に比べて電池を交換するといった作業をなくすことができ、輪重・横圧測定装置の保守点検作業を簡素化できる。
【００１７】
さらに、ひずみ検出部の温度を検出する温度検出部と、温度に対するひずみ量の関係のデータを格納した記憶手段とを有し、データ演算部は、温度検出部で検出した温度と記憶手段に格納した温度に対するひずみ量の関係のデータに基づいてひずみに関するデータを補正する構成とすれば、ひずみ量の測定精度を向上でき、これにより、輪重・横圧測定装置の測定精度を向上できる。
【００１８】
また、温度検出部は、ｐ−ｎ接合ダイオードにより形成された構成とすれば、温度検出部も半導体プロセスで形成でき、半導体プロセスで形成したひずみ検出部と一体に形成することが可能となる。
【００１９】
さらに、ひずみセンサを取り付けたレールを走行する車両に設けられ、ひずみセンサからの信号を受信する受信側データ処理装置を備え、この受信側データ処理装置は、ひずみセンサから無線送信された信号を受信する受信側の無線通信部と、この受信側の無線通信部で受信した信号に基づいてこの受信側データ処理装置を設けた車両の動作を制御するための制御信号を作成する演算処理部とを有し、この演算処理部で作成した制御信号を、受信側データ処理装置を設けた車両の動作を制御する機器に出力する構成とする。このような構成とすれば、車両が走行しているレール部分の輪重や横圧の情報をリアルタイムで車両の走行状態の調整、例えば速度や台車の空気ばねの調整に利用できるため、車両の走行安全性を向上できる。
【００２０】
また、基地局として設置され、ひずみセンサからの信号を受信する受信側データ処理装置を備え、この受信側データ処理装置は、ひずみセンサから無線送信された信号を受信する受信側の無線通信部と、この受信側の無線通信部で受信したひずみセンサからの信号に基づいて必要なデータを演算する演算処理部とを有し、ひずみセンサの無線通信部は、他のひずみセンサの無線通信部を中継して無線通信を行うマルチホップ通信によりアドホックネットワークを形成する構成とする。このような構成とすれば、地上に固定して設けた基地局でレールにかかった輪重や横圧を管理する場合、マルチホップ通信により基地局となる受信側データ処理装置を含むアドホックネットワークを形成することで、ひずみセンサ単体での電波の送信範囲よりも長い距離でひずみに関するデータに対応する信号の送信が行える。このため、基地局の設置間隔を大きくでき、基地局の設置数を低減できる。
【００２１】
さらに、受信側データ処理装置は、ひずみセンサからのひずみに関するデータに対応する信号を受信し、この受信した信号に基づいて輪重及び横圧の少なくとも一方に関するデータを演算する構成とする。これにより、ひずみセンサは、ひずみに関連するデータのみを演算すればよくなるため、ひずみセンサでの電力消費量を低減できる。
【００２２】
さらに、ひずみセンサは、データ演算部で演算しデータの値が予め設定した値以上のときにのみ受信側データ処理装置に対して信号を送信する構成とする。これにより、ひずみセンサでの信号の送信頻度を低減し、ひずみセンサにも受けた電源の電力消費を抑えることができる。
【００２３】
また、ひずみセンサは、データ演算部で演算したデータに対応する信号を送信するとき、ひずみセンサ固有の識別情報に対応する信号も送信する構成とする。これにより、信号を送信したひずみセンサの位置を特定できる。
【００２４】
さらに、ひずみセンサは、車両が軌道を通行していないときに零点を補正する構成とすれば、輪重・横圧測定装置の測定精度を向上できる。
【発明の効果】
【００２５】
本発明によれば、常時レールにかかっている輪重や横圧を測定できる。
【発明を実施するための最良の形態】
【００２６】
（第１の実施形態）
以下、本発明を適用してなる輪重・横圧測定装置の第１の実施形態について図１乃至図８を参照して説明する。図１は、本発明を適用してなる輪重・横圧測定装置が備える半導体ひずみセンサの概略構成を示すブロック図である。図２は、本発明を適用してなる輪重・横圧測定装置が備える半導体ひずみセンサの概略構成を示す図であり、（ａ）は第１樹脂層や第２樹脂層を取り除いた状態で示す斜視図、（ｂ）は第１樹脂層や第２樹脂層を有する状態を示す断面図である。図３は、本発明を適用してなる輪重・横圧測定装置が備える受信側データ処理装置の概略構成を示すブロック図である。図４は、本発明を適用してなる輪重・横圧測定装置の概略構成を示す図であり、半導体ひずみセンサをレールに取り付け、受信側データ処理装置を車両に設置した状態を模式的に示す側面図である。図５は、本発明を適用してなる輪重・横圧測定装置が備える半導体ひずみセンサのレールへの取り付け位置を示すレールの断面図である。図６は、本発明を適用してなる輪重・横圧測定装置が備える半導体ひずみセンサのレールへの取り付け位置を説明する側面図である。図７は、本発明を適用してなる輪重・横圧測定装置が備える半導体ひずみセンサのレールへの取り付け位置を説明する斜視図である。図８は、本発明を適用してなる輪重・横圧測定装置が備える半導体ひずみセンサ及び受信側データ処理装置の概略構成及び動作を示すフロー図である。
【００２７】
本実施形態の輪重・横圧測定装置は、図１に示すように、鉄道などの軌道を形成するレールのひずみ量を検出し、検出したひずみ量のデータに対応する信号を作成して無線通信により送信する半導体ひずみセンサ１を備えている。半導体ひずみセンサ１は、ひずみゲージからなるひずみ検出部３、ひずみに関するデータの演算や信号を作成するデータ演算部となるＣＰＵ（Ｃｅｎｔｒａｌ  Ｐｒｏｃｅｓｓｉｎｇ  Ｕｎｉｔ）５、ＣＰＵ５で作成した信号を無線通信により送信するための無線通信部を形成する無線送受信機７及び無線アンテナであるアンテナコイル９、そしてアンテナコイル９と共に電源となる自家発電手段を構成する自家発電部１１などを有している。さらに、本実施形態の輪重・横圧測定装置は、ひずみ検出部３とＣＰＵ５との間にひずみ検出部３側から電気的に順次接続された増幅器１３、Ａ／Ｄ変換器１５、ＣＰＵ５に各々接続された温度検出部１７、記憶手段となるメモリ１９なども有している。
【００２８】
ひずみ検出部３は、半導体プロセスにより形成されたひずみゲージであり、ひずみを検出する対象物となる軌道を形成するレールで生じたひずみにより、ひずみ検出部３がひずむことによって、そのひずみ量に応じてひずみ検出部３の電気抵抗が変化し、この電気抵抗の変化によって電圧や電流量が変化するものである。つまり、ひずみ検出部３は、レールのひずみに応じて電圧や電流量が変化することから、この電圧や電流量をレールのひずみに対応する電気信号とし、レールに生じたひずみを電気信号に変換するものである。増幅器１３は、ひずみ検出部３からの電気信号、つまり、電流量を増幅するための回路であり、Ａ／Ｄ変換器１５は、増幅器１３から送られてきたアナログ電流値をデジタル値に変換するための回路である。
【００２９】
ＣＰＵ５は、入出力信号の処理や制御を行うものであり、Ａ／Ｄ変換器１５から送られてきた入力信号つまりデジタル値に基づいて、ひずみに関するデータとしてひずみ量を演算し、演算したひずみ量に対応する出力信号を作成する。無線送受信機７は、ＣＰＵ５に電気的に接続され、アンテナコイル９と共に外部との情報のやり取りを無線形式で行うための無線通信部を形成している。無線送受信機７は、ＣＰＵ５で作成された信号を、アンテナコイル９を介して無線方式で外部へ発信し、また、外部より送られてきた無線電波を、アンテナコイル９を介して受信するための回路である。自家発電部１１は、ＣＰＵ５及びアンテナコイル９に各々電気的に接続され、アンテナコイル９と共に電源を形成しており、磁力線の変化による電磁誘導によりアンテナコイル９で生じた起電力から電力を得て、ＣＰＵ５を介して半導体ひずみセンサ１全体に駆動電力を供給するための回路である。
【００３０】
温度検出部１７は、ｐ−ｎ接合ダイオードにより形成されたものであり、ひずみ検出部３の温度を測定するものである。記憶手段となるメモリ１９は、半導体ひずみセンサ１固有の識別情報として半導体ひずみセンサ１個々に割り当てられたＩＤ番号、ＣＰＵ５がひずみ量の演算や信号作成処理を行うためのプログラム、さらに、温度に対するひずみ量の関係のデータなどを記憶、格納するものである。
【００３１】
このような半導体ひずみセンサ１では、ひずみ検出部３、ＣＰＵ５、無線送受信機７、アンテナコイル９、自家発電部１１、増幅器１３、Ａ／Ｄ変換器１５、温度検出部１７、そして、メモリ１９は、図２（ａ）に示すように、いずれも基板１ａ上に設けられた半導体デバイスや回路などであり、いずれの要素も半導体プロセスにより形成されたものである。また、本実施形態では、ひずみ検出部３及び温度検出部１７を除いて、ＣＰＵ５、無線送受信機７、アンテナコイル９、自家発電部１１、増幅器１３、Ａ／Ｄ変換器１５、そして、メモリ１９は、１つの基板１ａ上に一体に半導体プロセスにより形成されている。ひずみ検出部３及び温度検出部１７は、基板１ａとは別個に、ひずみ検出部３及び温度検出部１７のみを一体として半導体プロセスにより形成されている。
【００３２】
さらに、本実施形態の半導体ひずみセンサ１は、図２（ｂ）に示すように、第１樹脂層２１により樹脂封止され、第１樹脂層２１に覆われた状態となっている。これは、鉄道などの軌道に用いられるレールは、野外に曝された状態である場合が多く、車両の走行によって飛ぶ鉄粉や錆粉、バラスト用の石などが当たって半導体ひずみセンサ１が破損したり、雨や雪もしくは紫外線などに曝されることによりにより半導体ひずみセンサ１が劣化したり、破損したりするのを防ぐためである。つまり、第１樹脂層２１は、半導体ひずみセンサ１を保護するために設けられている。
【００３３】
このように第１樹脂層２１で半導体ひずみセンサ１を樹脂封止するとき、ひずみ検出部３は、直接またはレールのひずみを吸収し難い接着層などを介してレール２３に取り付けられるよう、ひずみ検出部３の取り付け面が第１樹脂層２１の一面に露出した状態となっている。そして、ひずみ検出部３は、直接またはレールのひずみを吸収し難い接着層などを介してレール２３に接触させた状態で取り付けられている。これにより、ひずみ検出部３がレール２３のひずみ量を検出するとき、外乱因子の影響を低減でき、測定精度が向上する。
【００３４】
本実施形態では、温度検出部１７は、ひずみ検出部３と共に半導体プロセスにより一体に形成されているため、ひずみ検出部３と同様に、ひずみ検出部３の取り付け面に連なる面が第１樹脂層２１の一面に露出した状態となっており、直接または接着層を介してレール２３に接触した状態で取り付けられている。このように温度検出部１７をひずみ検出部３と同じ状態でレール２３に取り付けることより、ひずみ検出部３が受ける温度をより正確に検出できる。温度検出部１７によって検出した温度は、ひずみ検出部３によって検出されたひずみ量の補正に用いられることから、輪重や横圧の測定精度を向上する上で、ひずみ検出部３と温度検出部１７を同じ環境でできるだけ近くに配置することで、ひずみ検出部３が受ける温度をできるだけ正確に検出できるようにすることが望ましい。また、温度検出部１７を配置する位置は、ひずみ検出部３が受ける温度をできるだけ正確に検出する上で、ひずみ検出部３との温度差が±５℃以下である場所が望ましい。
【００３５】
ところで、第１樹脂層２１内において、基板１ａは、第１樹脂層２１よりもヤング率の低いゲル状の第２樹脂層２５によって周り全体を囲まれ、その外側全体が第１樹脂層２１によって覆われた状態となっている。本実施形態では、半導体ひずみセンサ１は、第１樹脂層２１によって覆われて各構成要素が一体化された状態でレール２３に取り付けられている。このため、レール２３に車両の走行によってひずみが生じた場合、ひずみ検出部３だけではなく、半導体ひずみセンサ１全体がレール２３のひずみの影響を受ける。このとき、レール２３のひずみの影響を受けて、ＣＰＵ５、無線送受信機７、アンテナコイル９、自家発電部１１、増幅器１３、Ａ／Ｄ変換器１５、そして、メモリ１９などを構成する半導体チップや回路にひずみが加わると、半導体デバイスや回路などの抵抗値が変化し、検出したひずみ量や半導体ひずみセンサ１の動作に影響を及ぼす。
【００３６】
したがって、基板１ａ、つまり、基板１ａ上に設けられたＣＰＵ５、無線送受信機７、アンテナコイル９、自家発電部１１、増幅器１３、Ａ／Ｄ変換器１５、そして、メモリ１９などが、第１樹脂層２１よりもヤング率の低いゲル状の第２樹脂層２５によって覆われていることによって、半導体デバイスや回路などに加わるひずみを低減することができ、レール２３のひずみが、検出したひずみ量や半導体ひずみセンサ１の動作に影響を及ぼすのを抑えることができる。
【００３７】
なお、ＣＰＵ５、無線送受信機７、アンテナコイル９、自家発電部１１、増幅器１３、Ａ／Ｄ変換器１５、そして、メモリ１９など全ての要素がゲル状の第２樹脂層２５に覆われている必要はない。例えば、基板１ａ上にこれらの要素が一体的に設けられていない場合、ひずみの影響が少ないアンテナコイル９のような無線アンテナなどは、ゲル状の第２樹脂層２５に覆われている必要はない。アンテナコイル９のような無線アンテナは、第１樹脂層２１の表面に配置した方が感度を向上できる。
【００３８】
また、ゲル状の第２樹脂層２５の粘性が低く、流動性を有する場合には、第１樹脂層２１からの第２樹脂層２５を形成しているゲル状の樹脂材料の漏れを防ぐため、本実施形態のように第２樹脂層２５の周囲全体を第１樹脂層２１で覆う必要がある。第２樹脂層２５が固体として十分自立できるだけの高い粘性を有する場合には、第２樹脂層２５の周囲を第１樹脂層２１で覆う必要はなく、第２樹脂層２５が直接レール２３に接した状態で取り付けることもできる。この場合、第１樹脂層２１による樹脂封止は、第２樹脂層２５の上方部分を行うのみで済むため、生産性が向上する。
【００３９】
さらに、ＣＰＵ５、無線送受信機７、自家発電部１１、増幅器１３、Ａ／Ｄ変換器１５、そして、メモリ１９がレール２３のひずみの影響を受けなければよいため、基板１ａと、ひずみ検出部３及び温度検出部１７とを別個に第１樹脂層２１で覆った場合などは、基板１ａをゲル状の第２樹脂層２５で覆わずに、基板１ａをレール２３から離して設置したり、基板１ａを第１樹脂層２１よりもヤング率が低い接着剤でレール２３に貼り付ける構成などにすることもできる。
【００４０】
本実施形態の輪重・横圧測定装置では、半導体ひずみセンサ１からの信号を受信して輪重や横圧などを演算する受信側データ処理装置を備えており、この受信側データ処理装置は、レール上を走行する鉄道車両に設置されている。このような本実施形態の輪重・横圧測定装置が備える受信側データ処理装置２７は、図３に示すように、半導体ひずみセンサ１から無線送信されたひずみに関するデータに対応する信号を受信する受信側の無線通信部を形成する無線アンテナ２９及び無線送受信機３１、無線送受信機３１からの受信信号からレール２３にかかった輪重及び横圧の少なくとも一方を演算する演算処理部３３、そして、演算処理部３３で演算したデータを記憶するための情報記憶部３５などを有している。
【００４１】
無線送受信機３１は、レール２３に設置された半導体記ひずみセンサ１より送られてきたひずみ量に対応する信号を、無線アンテナ２９を介して受信するものである。演算処理部３３は、無線送受信機３１が受信したひずみ量に対応する信号に基づいて演算処理を行い、輪重や横圧を算出するものである。情報記憶部３５は、演算処理部３３から送られてきた信号やデータ、または、無線送受信機３１が受信した信号やデータなどを保存しておくものであり、例えばハードディスク装置や光ディスク装置などといった情報記憶装置によって形成されている。
【００４２】
このような本実施形態の輪重・横圧測定装置が備える受信側データ処理装置２７は、図３及び図４に示すように、例えば鉄道車両といった軌道を形成するレール２３上を走行する車両３７に搭載されている。車両３７は、レール２３上を回転する車輪３９、車輪３９を支持する台車４１、台車４１と車両本体４３間に発生する変位位相差を解消する空気ばね４５、空気ばね４５や車両の速度を調整する走行制御装置４７、そして、車両本体４３の客室内の空調を調節する空調調節装置４９などを備えている。受信側データ処理装置２７は、このような車両３７の車両本体４３に設置されており、受信側データ処理装置２７の演算処理部３３が、車両３７の走行制御装置４７や空調調節装置４９などと電気的に接続されている。
【００４３】
受信側データ処理装置２７の演算処理部３３は、ＣＰＵやマイクロコンピュータなどで形成されており、演算処理により求めた輪重や横圧のデータに基づいて車両３７の空気ばね４５や車両の速度を調整するための制御信号や、車両本体４３の客室内の空調を調節するための制御信号などを作成し、車両３７の走行制御装置４７や空調調整装置４９へと出力する。
【００４４】
なお、受信側データ処理装置２７は、車両３７を介して車両３７の電源となる電源５１から電力供給を受けている。また、受信側データ処理装置２７は、必ずしも車両本体４３に設置する必要はない。例えば、受信側データ処理装置２７は、車両３７の台車４１などに設置することもできる。受信側データ処理装置２７を車両３７の台車４１に設置した場合、半導体ひずみセンサ１から受信側データ処理装置２７までの距離が短くなることから、安定した情報の送受信を行うことができる。ただし、受信側データ処理装置２７を車両３７の台車４１や床下に設置する場合、ノイズの送受信への影響を低減するため、車両３７のインバータやモータなどからできるだけ離れた位置に設置することが望ましい。
【００４５】
このような構成の輪重・横圧測定装置の設置方法や動作、本発明の特徴部などについて説明する。なお、本実施形態では、鉄道車両の軌道を形成するレールの輪重や横圧を測定する場合を例として説明する。軌道は、図４に示すように、木製やコンクリート製の枕木５３の上に平行に敷設された２本のレール２３などで形成されており、輪重・横圧測定装置の半導体ひずみセンサ１は、この軌道を形成する各レール２３の側面に貼り付けられる。半導体ひずみセンサ１は、レール２３に生じるせん断ひずみを測定するためのものであり、レール２３の長手方向に生じる曲げの影響を打ち消すため、図５に示すように、１本のレール２３に対し、レール２３の両側面の対向する位置に一対で取り付けられる。
【００４６】
半導体ひずみセンサ１のレール２３の長手方向つまり延在方向での設置間隔は、図４に示すように、このレール上を走行する車両の長さよりも長くなると、一つの半導体ひずみセンサ１が一つの車両３７の一方のレール２３側にある全ての車輪がこのレール２３に生じさせるひずみ量の総和を検出することになる。このような状態で検出されたひずみ量から、一つ一つの車輪に対する輪重や横圧を算出することは難しい。したがって、半導体ひずみセンサ１のレール２３の延在方向での設置間隔は、その軌道を走行する車両３７一両分の長さ以下にする必要がある。例えば、レール２３で形成された軌道を走行する車両３７が２００００ｍｍであれば、半導体ひずみセンサ１のレール２３の延在方向での設置間隔は、２００００ｍｍ以内とする。
【００４７】
また、鉄道の軌道における枕木５３が設置される一般的な間隔は、６００ｍｍ前後である。枕木５３上では、レール２３が枕木５３に固定されているため、レール２３は拘束されて変形し難い状態となっている。したがって、車輪がレール２３に生じさせたひずみは、隣り合う２本の枕木５３間つまり６００ｍｍ前後程度の範囲にしか生じす、このことからも、車両３７一両分の長さ以上、例えば２００００ｍｍ以上の取り付け間隔で半導体ひずみセンサ１を取り付けると、必要な測定精度を得難い。
【００４８】
ところで、レール２３上を走行する車両３７の動的な輪重や横圧値の変化を詳細に測定するためには、半導体ひずみセンサ１の取付け間隔を可能な限り狭くすることが考えられる。しかし、取り付ける半導体ひずみセンサ１の個数が多くなると設置費用が増し、また、取り扱う情報量も膨大となる。一方で、前述のようにレール２３は枕木５３上に固定されており、枕木５３上ではレール２３の変形は拘束されることから、レール２３は、隣り合う２本の枕木５３間の中間部分において最大の変形量を示す。そして、輪重や横圧の測定精度を向上するためには、レール２３の最も変形量の大きな箇所に前記半導体ひずみセンサ１を貼り付けることが必要であるため、半導体ひずみセンサ１は、図４及び図６に示すように、枕木５３と枕木５３の概ね中間地点に設置することが望ましい。
【００４９】
さらに、車両の脱線事故の防止を目的とする場合などには、車両３７の左右の車輪における輪重値や横圧値のアンバランスを監視する必要がある。このため、本実施形態に例示する鉄道のように平行な２本のレール２３が軌道を形成している場合、半導体ひずみセンサ１は、図７に示すように、平行な２本のレール２３の側面の、これら２本のレール２３に直交する同じ仮想線Ａ−Ａ上に配置することが望ましい。
【００５０】
このように半導体ひずみセンサ１をレール２３に取り付けた輪重・横圧測定装置では、車両３７がレール２３上を通過することによってレール２３に発生するひずみは、半導体ひずみセンサ１のひずみ検出部３によって、レール２３に発生したひずみ量に応じた電流値に変換される。この電流値がレール２３に発生したひずみ量に対応する電気信号となり、図８に示すように、増幅器１３で増幅され、Ａ／Ｄ変換器１５によってアナログ値からデジタル値に変換され、ＣＰＵ５へと送られる。ＣＰＵ５では、入力されてきた電気信号つまり電流値に基づいてひずみ量を演算し、さらに、メモリ１９に予め記録されているプログラムを用いて算出したひずみ量に基づいて輪重値や横圧値を演算する。
【００５１】
このとき、本実施形態の半導体ひずみセンサ１は、温度検出部１７を備え、また、メモリ１９に温度に対する半導体ひずみセンサ１で検出したひずみ量の関係のデータを格納しており、ＣＰＵ５は、ひずみ検出部３からの電流値に基づいてひずみ量を演算するとき、温度検出部１７で検出された温度に基づいて、ひずみ量の補正を行う。そして、ＣＰＵ５は、補正されたひずみ量に基づいて輪重値や横圧値を演算する。
【００５２】
さらに、ＣＰＵ５は、演算した輪重値や横圧値に対応する信号を作成し、ＣＰＵ５で作成された信号は、無線送受信機７、そしてアンテナコイル９を介して、車両３７に設置された受信側データ処理装置２７へと送信される。このように半導体ひずみセンサ１で算出され、車両３７に搭載された受信側データ処理装置２７送信された輪重や横圧のデータに対応する信号は、無線アンテナ２９と無線送受信機３１を介して演算処理部３３へ送られる。演算処理部３３では、送られてきた信号、つまり輪重や横圧のデータに基づいて動的輪重・横圧値のアンバランスや、車両３７の乗客数を推定し、車両３７の走行制御装置４７や空調調節装置４９へと制御信号を発信する。
【００５３】
走行制御装置４７は、図４及び図８に示すように、受信した制御信号により車両３７の速度調節や台車４１の空気ばね４５の調節などを行い、車両走行の最適化を行う。また、空調調節装置４９は、演算処理部３３から送られてきた制御信号をもとに、車両３７の客室内の空調の調節を行う。例えば、輪重や横圧のデータから乗客数が多いと判断される車両３７では、冷房を強くするといったように、車両３７の客室内の環境の最適化を行う。さらに、演算処理部３３から出力される制御信号は、情報記憶部３５に送られて保存されることで、輪重や横圧のデータの管理を行うことができる。
【００５４】
なお、本実施形態の半導体ひずみセンサ１は、演算した輪重値や横圧値に対応する信号を送信するとき、信号を送信した半導体ひずみセンサ１を識別するための固有の識別情報として各半導体ひずみセンサ１に割り当てられたＩＤ番号に対応する信号も送信する。また、半導体ひずみセンサ１を長期使用する際には、経時劣化によりひずみ計のゼロ点がずれてしまう。このため、本実施形態の半導体ひずみセンサ１は、この半導体ひずみセンサ１上を車両３７が通行していないときにゼロ点補正を行っている。
【００５５】
ここで、本実施形態のように、半導体ひずみセンサ１で、ひずみ検出部３で検出したひずみ量から輪重値や横圧値を算出し、この算出した輪重値や横圧値といったデータ車両３７に搭載した受信側データ処理装置２７へ送信する場合、車両３７に搭載した受信側データ処理装置２７でひずみ量に基づいて輪重値や横圧値を演算する必要がなくなるため、受信側データ処理装置２７の演算処理部３３への負荷を低減できる。そして、受信側データ処理装置２７の演算処理部３３への負荷を低減できることにより、受信側データ処理装置２７は、受信側データ処理装置２７でひずみ量に基づいて輪重値や横圧値を演算する場合に比べて、同時により多数の半導体ひずみセンサ１からのデータを処理することが可能になる。
【００５６】
これに対して、ひずみ量の輪重値や横圧値への変換を半導体ひずみセンサ１で、のＣＰＵ５では行わず、ＣＰＵ５で算出したひずみのデータを受信側データ処理装置２７へ送信し、受信側データ処理装置２７の演算処理部３３で半導体ひずみセンサ１からのひずみのデータに基づいて輪重値や横圧値を演算する構成にすることもできる。この場合、半導体ひずみセンサ１のＣＰＵ５で輪重値や横圧値を算出しなくて済む分、半導体ひずみセンサ１のＣＰＵ５への負荷が低減するため、自家発電部や電池といったような供給電力量が限られている電源を備えた半導体ひずみセンサ１の電力消費量を低減できる。
【００５７】
また、輪重・横圧測定装置は、半導体ひずみセンサ１が、車両３７が通過する際のひずみ量または動的輪重値や横圧値のデータに対応する信号を常時送信する構成、また、半導体ひずみセンサ１で検出したひずみ量または輪重値や横圧値が予め設定した値以上のときにのみ、半導体ひずみセンサ１がひずみ量または動的輪重値や横圧値のデータに対応する信号を送信する構成などにすることができる。
【００５８】
半導体ひずみセンサ１が、車両３７が通過する際のひずみ量または動的輪重値や横圧値のデータに対応する信号を常時送信し、車両３７に設置された受信側データ処理装置２７がその半導体ひずみセンサ１からの信号を受信する場合、車両３７は、得られたひずみ量または輪重値や横圧値のデータに基づいて走行制御や空調の調節を連続的に行うことができる。
【００５９】
一方、半導体ひずみセンサ１で検出したひずみ量または輪重値や横圧値が予め設定した値以上のときにのみ、半導体ひずみセンサ１がひずみ量または動的輪重値や横圧値のデータに対応する信号を送信する場合、例えば、半導体ひずみセンサ１がＣＰＵ５を用いて輪重値と横圧値の比で表される脱線係数を算出し、その値が脱線の危険性を示唆する予め設定した値以上になったとき、輪重や横圧のデータに対応する信号や、さらには危険信号などを受信側データ処理装置２７に送信する。このように、半導体ひずみセンサ１で得たデータが予め設定以上になったときにのみ半導体ひずみセンサ１が信号を送信する構成とすれば、信号つまり無線電波の発信回数を減らせることから、自家発電部や電池といったような供給電力量が限られている電源を備えた半導体ひずみセンサ１の電力消費量を低減できる。
【００６０】
なお、半導体ひずみセンサ１が常時信号を送信するか、特定の条件のときにのみ信号を送信するかは、輪重・横圧測定装置の用途などに応じて選択する。
【００６１】
このような本実施形態の輪重・横圧測定装置では、半導体ひずみセンサ１は、無線送受信機７やアンテナコイル９で形成された無線通信部を有しており、外部とのデータの送受信を無線形式で行っている。また、半導体ひずみセンサ１の駆動電力は、半導体ひずみセンサ１に設けられたアンテナコイル９と自家発電部１１を電源として供給されている。このため、半導体ひずみセンサ毎に電源やコンピュータなどの機器をケーブルで接続したり、これらの機器を軌道近傍に設置する必要がなくなる。このように、レール２３に、半導体ひずみセンサ１のみを取り付けるだけで済むため、軌道近傍に輪重・横圧測定装置の設置のための空間を確保する必要はなくなり、輪重・横圧測定装置を常時レールに設置した状態にでき、常時レールにかかっている輪重や横圧を測定できる。
【００６２】
さらに、半導体ひずみセンサ１を構成するひずみ検出部３、ＣＰＵ５、無線送受信機７などが半導体プロセスにより形成されているため、半導体ひずみセンサ１は、設置面積も数十ｍｍ２から数十ｃｍ２程度の場所に設置できる程度の大きさに小型化できる。このため、レール２３の側面に貼り付けた場合であっても、レール２３の肩部からはみ出さないほどに小さくでき、半導体ひずみセンサ１を常時レールに設置したとしても車両の走行に支障を来たすことが確実になくなる。
【００６３】
さらに、本実施形態では、半導体ひずみセンサ１は、ひずみ検出部３と温度検出部１９、また、増幅器１３、Ａ／Ｄ変換器１５、ＣＰＵ５、自家発電部１１、メモリ１９、無線送受信機７、そしてアンテナコイル９は、各々一体に半導体プロセスを用いて作製されているため、コストの低減、また、量産のための生産性の向上などが可能となる。
【００６４】
加えて、半導体ひずみセンサ１は、ひずみ検出部３、増幅器１３、Ａ／Ｄ変換器１５、ＣＰＵ５、自家発電部１１、温度検出部１７、メモリ１９、無線送受信部７、アンテナコイル９を第１樹脂層２１で封入した一体型のセンサとしてレール２３に直接単独で貼り付けられるため、外部の機器との配線などが必要ない。このため、半導体ひずみセンサ１は、レール２３との間や、他の半導体ひずみセンサ１との間で共通のアースを有することになり、電気的グラウンドレベルの相違による電流の流れ込みやノイズの発生を防止することができ、測定値の信頼性を向上できる。
【００６５】
さらに、本実施形態の輪重・横圧測定装置では、半導体ひずみセンサ１は、ひずみ検出部３、そしてＣＰＵ５などが設けられた基板１ａなどが第１樹脂層２１で覆われて一体に形成されている。このため、半導体ひずみセンサ１を構成するひずみ検出部３やＣＰＵ５などの半導体チップや回路が雨や雪、紫外線、埃、車両の走行などにより飛んでくる鉄粉や錆粉、石などが当たって破損するのを防ぐことができ、また、レールへの取り付けも容易にできる。
【００６６】
加えて、本実施形態では、半導体ひずみセンサ１は、ひずみ検出部３や温度検出部１７を除き、ＣＰＵ５などが設けられた基板１ａは、第１樹脂層２１よりもヤング率が低い第２樹脂層２５で覆われ、この第２樹脂層２５の上から第１樹脂層２１で覆われている。このため、レール２３に生じたひずみが第１樹脂層２１に伝わって第１樹脂層２１にひずみが生じても、第２樹脂層２５がひずみを吸収するため、ＣＰＵ５などが設けられた基板１ａにひずみが伝わって基板１ａに設けられたＣＰＵ５などの動作に影響するのを抑制し、測定精度の低下を抑制できる。
【００６７】
さらに、本実施形態の輪重・横圧測定装置では、半導体ひずみセンサ１は、無線通信部を形成する無線アンテナとしてアンテナコイル９を備え、自家発電部１１は、アンテナコイル９における磁力線の変化による電磁誘導による起電力を半導体ひずみセンサ１の駆動電力にしている。したがって、電源が電池である場合に比べて電池を交換するといった作業をなくすことができ、輪重・横圧測定装置の保守点検作業を簡素化できる。ただし、半導体ひずみセンサ１に設ける電源は、電磁誘導による起電力を利用した自家発電手段に限らず、その他の自家発電手段や、半導体ひずみセンサ１での電力消費量の状況によっては、小型のボタン電池のような１次電池や２次電池、さらに、自家発電手段と２次電池を組み合わせた構成などにもすることができる。
【００６８】
例えば、半導体ひずみセンサ１は、直接レール２３に取り付けられていることから、自家発電手段として、発電方法に振動発電を用いたものを用いることもできる。この場合、車両３７通過時に、レール２３に生じる振動によって半導体ひずみセンサ１の駆動に必要な電力を発電することができる。また、電源を電池とした場合、定期的な電池の交換または半導体ひずみセンサ１自体の取替えを必要とするが、自家発電部１１とアンテナコイル９などで構成された電源に比べて多くの電力量を安定して供給できる。さらに、自家発電部１１を構成する回路が不要になる上、無線アンテナはアンテナコイル９である必要がなくなるため、構成を簡素化できる。
【００６９】
ところで、レール２３は、夏場と冬場とでは数十度以上もの温度差のある過酷な環境下に置かれている。一般に、ひずみ検出３となるひずみゲージとして用いられているのは金属抵抗や半導体抵抗であるが、得られるひずみ量の測定値は温度変化の影響を強く受ける。これに対して、本実施形態では、半導体ひずみセンサ１は、内部に温度検出部１７を有しており、温度検出部１７により得られたひずみ検出部３の温度に基づいてＣＰＵ５がメモリ１９に予め記憶されていた温度に対するひずみ量の関係のデータから、ひずみ量を補正して算出する。このため、得られたひずみ量が環境温度に左右され難いため、このひずみ量に基づいて算出される輪重や横圧の測定精度を向上できる。
【００７０】
加えて、本実施形態では、温度検出部１７は、ｐ−ｎ接合ダイオードにより形成されているため、温度検出部をひずみ検出部と共に半導体プロセスによって一体に形成することが可能となる。
【００７１】
さらに、本実施形態では、半導体ひずみセンサ１を取り付けたレール２３を走行する車両３７に、半導体ひずみセンサ１からの信号を受信する受側データ処理手段２７が搭載されている。このように、受信側データ処理装置２７は、車両３７に内蔵されているため、風雨や紫外線にさらされず温度の変化も小さく、環境の影響を受けずに安定した動作を行うことができる。加えて、受信側データ処理装置２７自体が車両３７と共に移動することで、レール２３の長さが数十キロメートル以上にも及ぶ場合であっても、受信側データ処理装置２７をレールに沿って多数配置する必要が無く、受信側データ処理装置の設置コストを低減できる。
【００７２】
さらに、車両３７内に受信側データ処理装置２７が設置されていることで、半導体ひずみセンサ１によって得られたひずみ、また、輪重や横圧に関するデータを、これらの情報を必要とする車両３７ヘ送信する距離を短くできる。このため、レール２３に生じたひずみ量を一旦有線方式で外部に取り出し、車両３７へ情報を戻す方法に比べると、データ伝達の際に発生するタイムラグも小さい上、外乱の影響も小さくなる。
【００７３】
さらに、本実施形態では、受信側データ処理装置２７は、演算処理部３３で作成した制御信号を、受信側データ処理装置２７を設けた車両３７の動作を制御する機器、つまり走行制御装置４７などに出力する。このため、車両３７が走行しているレール２３部分の輪重や横圧の情報をリアルタイムで車両３７の走行状態の調整、例えば速度や台車４１の空気ばね４５の調整に利用できるため、車両の走行安全性を向上できる。
【００７４】
さらに、半導体ひずみセンサ１をレール２３に沿って複数配置した後に半導体ひずみセンサ１の管理を行う際、半導体ひずみセンサ１とその配置場所との対応関係を明確にすることが必要となる。これに対して、本実施形態では、半導体ひずみセンサ１は、ＣＰＵ５で演算したデータに対応する信号を送信するとき、半導体ひずみセンサ１固有の識別情報であるＩＤ番号に対応する信号も送信している。半導体ひずみセンサ１は、レール２３に沿って一次元的に設置されているため、このようにすれば、無作為に半導体ひずみセンサ１をレール２３に貼り付けた後であっても、車両３７に搭載された受信側データ処理装置２７がレール２３に沿って移動し、半導体ひずみセンサ１が有する固有のＩＤ番号を読み取ることで半導体ひずみセンサ１の並びを得ることができる。このとき、半導体ひずみセンサ１の取付け間隔を一定にしておけば、半導体ひずみセンサ１の位置情報も得ることができ、半導体ひずみセンサ１の貼り付け位置の特定に費やす労力、時間を減少させることができる。
【００７５】
加えて、本実施形態では、半導体ひずみセンサ１は、この半導体ひずみセンサ１が貼り付けられたレール２３上を車両３７が通行していないときに零点を補正している。したがって、半導体ひずみセンサ１の長期使用による経時劣化で零点がずれても、零点を補正できるため、輪重や横圧の測定精度を向上できる。
【００７６】
また、本実施形態では、図５に示すように、レール２３の両側面に半導体ひずみセンサ１を設置しているが、半導体ひずみセンサ１は、必ずしもレール２３の両側面に一対として設置する必要は無い。つまり、目的とする精度以上で輪重値や横圧値を検出することができれば、レールの片側の側面だけに設置することもできる。さらに、輪重を測定するための十分なひずみ量が得られる場所であれば、レール２３の側面に限らず、図９に示すようにレール２３の下面や、図１０に示すようにレール２３の肩部の下面などに設置することもできる。レ−ル２３の下面や肩部の下面に半導体ひずみセンサ１を設置した場合、半導体ひずみセンサ１が風雨に曝され難くなる。また、レール２３の下面に半導体ひずみセンサ１を取り付けた場合には、車両３７が通過したときに飛ばす砂利、鉄粉、錆粉などの衝突から半導体ひずみセンサ１を保護することができ、半導体ひずみセンサ１の高寿命化に繋がる。
【００７７】
ただし、本発明者らが行った有限要素法解析によると、レール上を車両が走行する際、レールの側面において大きなひずみが発生することが明らかになっている。このことから、輪重や横圧の測定精度を向上するためには、レールの側面に半導体ひずみセンサを設置することが望ましい。
【００７８】
（第２の実施形態）
以下、本発明を適用してなる輪重・横圧測定装置の第２の実施形態について図１１乃至図１３を参照して説明する。図１１は、本発明を適用してなる輪重・横圧測定装置の概略構成を示す図であり、輪重・横圧測定装置が備える半導体ひずみセンサをレールに取り付け、受信側データ処理装置を基地局として地上に設置した状態を模式的に示す側面図である。図１２は、本発明を適用してなる輪重・横圧測定装置が備える受信側データ処理装置の概略構成を示すブロック図である。図１３は、本発明を適用してなる輪重・横圧測定装置が備える半導体ひずみセンサ及び受信側データ処理装置の動作を示すフロー図である。なお、本実施形態では、第１の実施形態と同一の構成などには同じ符号を付して説明を省略し、第１の実施形態と相違する構成や特徴部などについて説明する。
【００７９】
本実施形態の輪重・横圧測定装置が第１の実施形態と相違する点は、受信側データ処理装置が基地局として地上に設置されており、レールに設置された複数の半導体ひずみセンサがマルチホップ通信を行うことにある。すなわち、本実施形態の輪重・横圧測定装置は、図１１に示すように、地上、例えば駅や軌道を形成するレール脇など、設置スペースが確保できる場所に基地局として受信側データ処理装置５５が設置されている。受信側データ処理装置５５は、図１２に示すように、第１の実施形態の受信側データ処理装置とほぼ同じ構成であり、無線アンテナ２９、無線送受信機３１、演算処理部３３、そして情報記憶部３５などを有している。
【００８０】
また、本実施形態の輪重・横圧測定装置が備える半導体ひずみセンサ１は、第１の実施形態と同じ構成のものであるが、各半導体ひずみセンサ１の無線送受信機３１を介して、半導体ひずみセンサ１相互間の無線通信、つまりマルチホップ通信が可能になっている。そして、このような半導体ひずみセンサ１が、図１１及び図１３に示すように、枕木５３の上に敷設されたレール２３の側面にせん断ひずみを測定するためにレール２３に沿って複数貼り付けられている。このとき、半導体ひずみセンサ１は、各々に固有のＩＤにより、レール２３の側面に設置された位置が基地局となる受信側データ処理装置５５から遠い側から順に、半導体ひずみセンサ１ａ、半導体ひずみセンサ１ｂ、半導体ひずみセンサ１ｃ、そして基地局となる受信側データ処理装置５５に最も近い位置に設置されたものが半導体ひずみセンサ１ｚというように区別されるものとする。
【００８１】
このような半導体ひずみセンサ１ａから半導体ひずみセンサ１ｚは、相互間のマルチホップ通信が可能であることから、アドホックネットワークを形成することができる。アドホックネットワークとは、本願発明の輪重・横圧測定装置が備える半導体ひずみセンサのような無線デバイスを備えた端末を相互に接続する形態のマルチホップ通信によって、アクセスポイントといった通信のための中継基地局なしに形成できるネットワークである。このようなアドホックネットワークを、無線デバイスを備えた端末に相当する複数の半導体ひずみセンサ１で形成することにより、他の半導体ひずみセンサ１を中継することで半導体ひずみセンサ１の通信エリアを拡大できる。
【００８２】
このような本実施形態の輪重・横圧測定装置では、図１３に示すように、半導体ひずみセンサ１ａは、検出した輪重や横圧のデータを、より基地局となる受信側データ処理装置５５に近い側に隣接している半導体ひずみセンサ１ｂに無線形式で伝達する。半導体ひずみセンサ１ｂは、半導体ひずみセンサ１ａから送られてきた輪重や横圧のデータなどに対応する信号を受信し、この導体ひずみセンサ１ａから送られてきた信号を、半導体ひずみセンサ１ａと同様に、より基地局となる受信側データ処理装置５５に近い側に隣接している半導体ひずみセンサ１ｃに無線形式で伝達する。このように、半導体ひずみセンサ１ａからの輪重や横圧のデータなどに対応する信号は、マルチホップ通信により基地局となる受信側データ処理装置５５方向に半導体ひずみセンサ１ａから半導体ひずみセンサ１ｚへ順次伝達される。
【００８３】
そして、基地局となる受信側データ処理装置５５に最も近い場所に配置されている半導体ひずみセンサ１ｚは、伝達されてきた信号を基地局となる受信側データ処理装置５５に送信する。基地局となる受信側データ処理装置５５は、半導体ひずみセンサ１ｚから送られてきた信号を、無線アンテナ２９を介して無線送受信機３１で受信し、演算処理部３３で必要な処理を行った後、情報記憶部３５に記憶する。
【００８４】
このように、本実施形態の輪重・横圧測定装置でも、複数の半導体ひずみセンサ１相互間のマルチホップ通信によってアドホックネットワークを形成することにより、基地局となる受信側データ処理装置５５によって一括した情報管理を行うことができる。したがって、受信設備となる機器などを各半導体ひずみセンサ１ａ−１ｚの各々の近くに設置する必要がないことなどから、常時レールにかかっている輪重や横圧を測定できる。
【００８５】
さらに、複数の半導体ひずみセンサ１相互間のマルチホップ通信によってアドホックネットワークを形成することにより、半導体ひずみセンサ１が単体で送ることのできる電波の範囲よりも長い距離における通信つまり情報伝達を行うことができ、これにより、地上に設置する基地局の数を低減することができる。
【００８６】
加えて、複数の半導体ひずみセンサ１間のネットワークを有線方式により形成して情報伝達を行う場合、半導体ひずみセンサ１のいずれか一つが破損した場合、または半導体ひずみセンサ１間を結ぶ配線に障害が生じた場合、ネットワーク全体がダウンしてしまう可能性がある。しかし、本実施形態の輪重・横圧測定装置では、それぞれの半導体ひずみセンサ１単体の無線伝達有効範囲内に他の複数の半導体ひずみセンサ１が設置されていれば、配線の切断などの支障がなくなる上、半導体ひずみセンサの破損などが生じた場合でも、支障が生じていない半導体ひずみセンサ１単体の無線伝達有効範囲内に設置された他の半導体ひずみセンサ１で代用することができる。このため、ネットワーク自体がダウンし難い。さらに、複数の半導体ひずみセンサ１間を結ぶ配線を必要としないことから、半導体ひずみセンサ１の取り付けや取り替えも容易になる。
【００８７】
なお、半導体ひずみセンサ１取り付け後の位置情報の特定には、必ずしも第１の実施形態のようにレール２３に沿って受信側データ処理装置を移動させる必要は無く、本実施形態で示したマルチホップ通信を用いて半導体ひずみセンサ１ａ−１ｚの固有のＩＤつまり識別情報を伝達して各半導体ひずみセンサ１ａ−１ｚの位置情報の特定を行うこともできる。
【００８８】
また、第１及び第２の実施形態では、半導体ひずみセンサ１、受信側データ処理装置２７、５５は、各々無線送受信機７、３１を有しており、データなどに対応する信号の半導体ひずみセンサ１と受信側データ処理装置２７、５５との間での送受信が可能となっている。しかし、半導体ひずみセンサ１は、信号の送信のみを行う無線通信部を、受信側データ処理装置２７、５５は、信号の受信のみを行う無線通信部を有する構成にすることもできる。
【００８９】
また、本発明の輪重・横圧測定装置は、第１及び第２の実施形態の半導体ひずみセンサ１に示したすべての要素を備えている必要は無く、ひずみの検出、信号の作成、外部への信号の無線送信という一連の作業ができれば様々な構成で形成することができる。また、半導体ひずみセンサが輪重値や横圧値を演算する場合には、半導体ひずみセンサからの信号を受信する機器が、輪重・横圧測定装置を構成する要素である必要はない。
【００９０】
また、本発明の輪重・横圧測定装置は、第１及び第２の実施形態に例示したような鉄道に限らず、レールを有する様々な交通機関、例えば、レールとコンクリート軌道を併用したリニアモーター式の交通機関、コンクリート製軌道を備えたモノレールのような交通機関、さらに、交通機関だけでなく、移動用のレールを備えた大型クレーン、造船所等の船用レール、ロケット発射場のロケット搬送用レールやロケット発射台の旋回塔レールなどの重量管理などを必要とするレールを備えた機器及び設備に用いることができる。  
【図面の簡単な説明】
【００９１】
【図１】本発明を適用してなる第１の実施形態の輪重・横圧測定装置が備える半導体ひずみセンサの概略構成を示すブロック図である。
【図２】本発明を適用してなる第１の実施形態の輪重・横圧測定装置が備える半導体ひずみセンサの概略構成を示す図であり、（ａ）は第１樹脂層や第２樹脂層を取り除いた状態で示す斜視図、（ｂ）は第１樹脂層や第２樹脂層を有する状態を示す断面図である。
【図３】本発明を適用してなる第１の実施形態の輪重・横圧測定装置が備える受信側データ処理装置の概略構成を示すブロック図である。
【図４】本発明を適用してなる第１の実施形態の輪重・横圧測定装置の概略構成を示す図であり、半導体ひずみセンサをレールに取り付け、受信側データ処理装置を車両に設置した状態を模式的に示す側面図である。
【図５】本発明を適用してなる第１の実施形態の輪重・横圧測定装置が備える半導体ひずみセンサのレールへの取り付け位置を示すレールの断面図である。
【図６】本発明を適用してなる第１の実施形態の輪重・横圧測定装置が備える半導体ひずみセンサのレールへの取り付け位置を説明する側面図である。
【図７】本発明を適用してなる第１の実施形態の輪重・横圧測定装置が備える半導体ひずみセンサのレールへの取り付け位置を説明する斜視図である。
【図８】本発明を適用してなる第１の実施形態の輪重・横圧測定装置が備える半導体ひずみセンサ及び受信側データ処理装置の概略構成及び動作を示すフロー図である。
【図９】本発明を適用してなる輪重・横圧測定装置が備える半導体ひずみセンサの別のレールへの取り付け位置を示すレールの断面図である。
【図１０】本発明を適用してなる輪重・横圧測定装置が備える半導体ひずみセンサのさらに別のレールへの取り付け位置を示すレールの断面図である。
【図１１】本発明を適用してなる第２の実施形態の輪重・横圧測定装置の概略構成を示す図であり、半導体ひずみセンサをレールに取り付け、受信側データ処理装置を基地局として地上に設置した状態を模式的に示す側面図である。
【図１２】本発明を適用してなる第２の実施形態の輪重・横圧測定装置が備える受信側データ処理装置の概略構成を示すブロック図である。
【図１３】本発明を適用してなる第２の実施形態の輪重・横圧測定装置が備える半導体ひずみセンサ及び受信側データ処理装置の動作を示すフロー図である。
【符号の説明】
【００９２】
１  半導体ひずみセンサ
３  ひずみ検出部
５  ＣＰＵ
７  無線送受信機
９  アンテナコイル
１１  自家発電部
１３  増幅器
１５  Ａ／Ｄ変換器
１７  温度検出部
１９  メモリ
【図１】
2005156298.tif 000003
【図２】
2005156298.tif 000004
【図３】
2005156298.tif 000005
【図４】
2005156298.tif 000006
【図５】
2005156298.tif 000007
【図６】
2005156298.tif 000008
【図７】
2005156298.tif 000009
【図８】
2005156298.tif 000010
【図９】
2005156298.tif 000011
【図１０】
2005156298.tif 000012
【図１１】
2005156298.tif 000013
【図１２】
2005156298.tif 000014
【図１３】
2005156298.tif 000015